【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
初期設定量子化ステップ幅を記憶した量子化テーブルと、
画質モードを設定する設定手段と、
入力した画像データに直交変換を行う直交変換手段と、
前記量子化テーブルと前記画質モードによって設定されたスケーリングファクタ値とに基づき前記量子化テーブルに制限値を用いた量子化ステップ幅を設定する制限値設定手段と、
該量子化ステップ幅に基づいて前記直交変換手段で直交変換された画像データを量子化する量子化手段と、
量子化された画像データを符号化する符号化手段と、
を有することを特徴とする画像処理装置。
【請求項２】
領域毎に予め設定された量子化ステップ幅を記憶した量子化テーブルと、
画質モードを設定する設定手段と、
入力した画像データに直交変換を行う直交変換手段と、
直交変換された画像データを像域分離処理する像域分離手段と、
前記量子化テーブルと前記画質モードによって設定されたスケーリングファクタ値とに基づき前記量子化テーブルに、前記像域分離処理により得られた制限値を用いた量子化ステップ幅を設定する制限値設定手段と、
該量子化ステップ幅に基づいて前記直交変換手段で直交変換された画像データを量子化する量子化手段と、
量子化された画像データを符号化する符号化手段と、
を有することを特徴とする画像処理装置。
【請求項３】
初期設定量子化ステップ幅を記憶した量子化テーブルと、
画質モードを設定する設定手段と、
入力した画像データに直交変換を行う直交変換手段と、
直交変換された画像データにおける領域の重要度を指定する領域指定手段と、
前記量子化テーブルと前記画質モードによって設定されたスケーリングファクタ値とに基づき前記量子化テーブルに、前記重要度に応じた制限値を用いた量子化ステップ幅を設定する制限値設定手段と、
該量子化ステップ幅に基づいて前記直交変換手段で直交変換された画像データを量子化する量子化手段と、
量子化された画像データを符号化する符号化手段と、
を有することを特徴とする画像処理装置。
【請求項４】
前記制限値設定手段は、
前記直交変換手段で直交変換された画像データの係数である変換係数毎に異なる制限値を設定することを特徴とする請求項１から３の何れか１項に記載の画像処理装置。
【請求項５】
前記制限値設定手段は、
前記直交変換手段で直交変換された画像データの係数を同一周波数成分毎にグループ化し、当該グループにおける周波数成分の特性に応じた制限値を設定することを特徴とする請求項１から３の何れか１項に記載の画像処理装置。
【請求項６】
前記画像データは複数のコンポーネントからなり、該コンポーネント毎に前記制限値を設定してなることを特徴とする請求項１から３の何れか１項に記載の画像処理装置。
【請求項７】
前記複数のコンポーネントは輝度及び色差コンポーネントからなり、前記色差コンポーネントにのみ前記制限値を設定することを特徴とする請求項６に記載の画像処理装置。
【請求項８】
量子化テーブルに初期設定量子化ステップ幅を記憶した記憶工程と、
画質モードを設定する設定工程と、
入力した画像データに直交変換を行う直交変換工程と、
前記量子化テーブルと前記画質モードによって設定されたスケーリングファクタ値とに基づき前記量子化テーブルに制限値を用いた量子化ステップ幅を設定する制限値設定工程と、
該量子化ステップ幅に基づいて前記直交変換工程で直交変換された画像データを量子化する量子化工程と、
量子化された画像データを符号化する符号化工程と、
を有することを特徴とする画像処理方法。
【請求項９】
量子化テーブルに、領域毎に予め設定された量子化ステップ幅を記憶した記憶工程と、
画質モードを設定する設定工程と、
入力した画像データに直交変換を行う直交変換工程と、
直交変換された画像データを像域分離処理する像域分離工程と、
前記量子化テーブルと前記画質モードによって設定されたスケーリングファクタ値とに基づき前記量子化テーブルに、前記像域分離処理により得られた制限値を用いた量子化ステップ幅を設定する制限値設定工程と、
該量子化ステップ幅に基づいて前記直交変換工程で直交変換された画像データを量子化する量子化工程と、
量子化された画像データを符号化する符号化工程と、
を有することを特徴とする画像処理方法。
【請求項１０】
量子化テーブルに初期設定量子化ステップ幅を記憶した記憶工程と、
画質モードを設定する設定工程と、
入力した画像データに直交変換を行う直交変換工程と、
直交変換された画像データにおける領域の重要度を指定する領域指定工程と、
前記量子化テーブルと前記画質モードによって設定されたスケーリングファクタ値とに基づき前記量子化テーブルに、前記重要度に応じた制限値を用いた量子化ステップ幅を設定する制限値設定工程と、
該量子化ステップ幅に基づいて前記直交変換工程で直交変換された画像データを量子化する量子化工程と、
量子化された画像データを符号化する符号化工程と、
を有することを特徴とする画像処理方法。
【請求項１１】
前記制限値設定工程において、
前記直交変換工程で直交変換された画像データの係数である変換係数毎に異なる制限値を設定することを特徴とする請求項８から１０の何れか１項に記載の画像処理方法。
【請求項１２】
前記制限値設定工程において、
前記直交変換工程で直交変換された画像データの係数を同一周波数成分毎にグループ化し、当該グループにおける周波数成分の特性に応じた制限値を設定することを特徴とする請求項８から１０の何れか１項に記載の画像処理方法。
【請求項１３】
前記画像データは複数のコンポーネントからなり、該コンポーネント毎に前記制限値を設定してなることを特徴とする請求項８から１０の何れか１項に記載の画像処理方法。
【請求項１４】
前記複数のコンポーネントは輝度及び色差コンポーネントからなり、前記色差コンポーネントにのみ前記制限値を設定することを特徴とする請求項１３に記載の画像処理方法。
【請求項１５】
請求項８から１４の何れか１項に記載の画像処理方法を実行することを特徴とするプログラム。
【請求項１６】
請求項１５に記載の前記プログラムを記録し、コンピュータが読み取り可能なことを特徴とする記録媒体。
【手続補正２】
【補正対象書類名】明細書
【補正対象項目名】００１５
【補正方法】変更
【補正の内容】
【００１５】
【課題を解決するための手段】
上記目的を達成するために、請求項１記載の発明は、初期設定量子化ステップ幅を記憶した量子化テーブルと、画質モードを設定する設定手段と、入力した画像データに直交変換を行う直交変換手段と、前記量子化テーブルと前記画質モードによって設定されたスケーリングファクタ値とに基づき前記量子化テーブルに制限値を用いた量子化ステップ幅を設定する制限値設定手段と、該量子化ステップ幅に基づいて前記直交変換手段で直交変換された画像データを量子化する量子化手段と、量子化された画像データを符号化する符号化手段と、を有することを特徴とする画像処理装置に関するものである。
【手続補正３】
【補正対象書類名】明細書
【補正対象項目名】００１６
【補正方法】変更
【補正の内容】
【００１６】
請求項２記載の発明は、領域毎に予め設定された量子化ステップ幅を記憶した量子化テーブルと、画質モードを設定する設定手段と、入力した画像データに直交変換を行う直交変換手段と、直交変換された画像データを像域分離処理する像域分離手段と、前記量子化テーブルと前記画質モードによって設定されたスケーリングファクタ値とに基づき前記量子化テーブルに、前記像域分離処理により得られた制限値を用いた量子化ステップ幅を設定する制限値設定手段と、該量子化ステップ幅に基づいて前記直交変換手段で直交変換された画像データを量子化する量子化手段と、量子化された画像データを符号化する符号化手段と、を有することを特徴とする画像処理装置に関するものである。
【手続補正４】
【補正対象書類名】明細書
【補正対象項目名】００１７
【補正方法】変更
【補正の内容】
【００１７】
請求項３記載の発明は、初期設定量子化ステップ幅を記憶した量子化テーブルと、画質モードを設定する設定手段と、入力した画像データに直交変換を行う直交変換手段と、直交変換された画像データにおける領域の重要度を指定する領域指定手段と、前記量子化テーブルと前記画質モードによって設定されたスケーリングファクタ値とに基づき前記量子化テーブルに、前記重要度に応じた制限値を用いた量子化ステップ幅を設定する制限値設定手段と、該量子化ステップ幅に基づいて前記直交変換手段で直交変換された画像データを量子化する量子化手段と、量子化された画像データを符号化する符号化手段と、を有することを特徴とする画像処理装置に関するものである。
【手続補正５】
【補正対象書類名】明細書
【補正対象項目名】００１８
【補正方法】変更
【補正の内容】
【００１８】
請求項４記載の発明は、請求項１から３の何れか１項に記載の発明において、前記制限値設定手段は、前記直交変換手段で直交変換された画像データの係数である変換係数毎に異なる制限値を設定することを特徴とする。
【手続補正６】
【補正対象書類名】明細書
【補正対象項目名】００１９
【補正方法】変更
【補正の内容】
【００１９】
請求項５記載の発明は、請求項１から３の何れか１項に記載の発明において、前記制限値設定手段は、前記直交変換手段で直交変換された画像データの係数を同一周波数成分毎にグループ化し、当該グループにおける周波数成分の特性に応じた制限値を設定することを特徴とする。
【手続補正７】
【補正対象書類名】明細書
【補正対象項目名】００２０
【補正方法】変更
【補正の内容】
【００２０】
請求項６記載の発明は、請求項１から３の何れか１項に記載の発明において、前記画像データは複数のコンポーネントからなり、該コンポーネント毎に前記制限値を設定してなることを特徴とする。
【手続補正８】
【補正対象書類名】明細書
【補正対象項目名】００２１
【補正方法】変更
【補正の内容】
【００２１】
請求項７記載の発明は、請求項６に記載の発明において、前記複数のコンポーネントは輝度及び色差コンポーネントからなり、前記色差コンポーネントにのみ前記制限値を設定することを特徴とする。
【手続補正９】
【補正対象書類名】明細書
【補正対象項目名】００２２
【補正方法】変更
【補正の内容】
【００２２】
請求項８記載の発明は、量子化テーブルに初期設定量子化ステップ幅を記憶した記憶工程と、画質モードを設定する設定工程と、入力した画像データに直交変換を行う直交変換工程と、前記量子化テーブルと前記画質モードによって設定されたスケーリングファクタ値とに基づき前記量子化テーブルに制限値を用いた量子化ステップ幅を設定する制限値設定工程と、該量子化ステップ幅に基づいて前記直交変換工程で直交変換された画像データを量子化する量子化工程と、量子化された画像データを符号化する符号化工程と、を有することを特徴とする画像処理方法に関するものである。
【手続補正１０】
【補正対象書類名】明細書
【補正対象項目名】００２３
【補正方法】変更
【補正の内容】
【００２３】
請求項９記載の発明は、量子化テーブルに、領域毎に予め設定された量子化ステップ幅を記憶した記憶工程と、画質モードを設定する設定工程と、入力した画像データに直交変換を行う直交変換工程と、直交変換された画像データを像域分離処理する像域分離工程と、前記量子化テーブルと前記画質モードによって設定されたスケーリングファクタ値とに基づき前記量子化テーブルに、前記像域分離処理により得られた制限値を用いた量子化ステップ幅を設定する制限値設定工程と、該量子化ステップ幅に基づいて前記直交変換工程で直交変換された画像データを量子化する量子化工程と、量子化された画像データを符号化する符号化工程と、を有することを特徴とする画像処理方法に関するものである。
【手続補正１１】
【補正対象書類名】明細書
【補正対象項目名】００２４
【補正方法】変更
【補正の内容】
【００２４】
請求項１０記載の発明は、量子化テーブルに初期設定量子化ステップ幅を記憶した記憶工程と、画質モードを設定する設定工程と、入力した画像データに直交変換を行う直交変換工程と、直交変換された画像データにおける領域の重要度を指定する領域指定工程と、前記量子化テーブルと前記画質モードによって設定されたスケーリングファクタ値とに基づき前記量子化テーブルに、前記重要度に応じた制限値を用いた量子化ステップ幅を設定する制限値設定工程と、該量子化ステップ幅に基づいて前記直交変換工程で直交変換された画像データを量子化する量子化工程と、量子化された画像データを符号化する符号化工程と、を有することを特徴とする画像処理方法に関するものである。
【手続補正１２】
【補正対象書類名】明細書
【補正対象項目名】００２５
【補正方法】変更
【補正の内容】
【００２５】
請求項１１記載の発明は、請求項８から１０の何れか１項に記載の発明において、前記制限値設定工程において、前記直交変換工程で直交変換された画像データの係数である変換係数毎に異なる制限値を設定することを特徴とする。
【手続補正１３】
【補正対象書類名】明細書
【補正対象項目名】００２６
【補正方法】変更
【補正の内容】
【００２６】
請求項１２記載の発明は、請求項８から１０の何れか１項に記載の発明において、前記制限値設定工程において、前記直交変換工程で直交変換された画像データの係数を同一周波数成分毎にグループ化し、当該グループにおける周波数成分の特性に応じた制限値を設定することを特徴とする。
【手続補正１４】
【補正対象書類名】明細書
【補正対象項目名】００２７
【補正方法】変更
【補正の内容】
【００２７】
請求項１３記載の発明は、請求項８から１０の何れか１項に記載の発明において、前記画像データは複数のコンポーネントからなり、該コンポーネント毎に前記制限値を設定してなることを特徴とする。
【手続補正１５】
【補正対象書類名】明細書
【補正対象項目名】００２８
【補正方法】変更
【補正の内容】
【００２８】
請求項１４記載の発明は、請求項１３に記載の発明において、前記複数のコンポーネントは輝度及び色差コンポーネントからなり、前記色差コンポーネントにのみ前記制限値を設定することを特徴とする。
【手続補正１６】
【補正対象書類名】明細書
【補正対象項目名】００２９
【補正方法】変更
【補正の内容】
【００２９】
請求項１５記載の発明は、請求項８から１４の何れか１項に記載の画像処理方法を実行するプログラムであることを特徴としている。